(57)【要約】【課題】光源の異なる光を同一平面上で表現し、繊細な表現を必要とするデザインを表示することができる表示装置を提供する。【解決手段】携帯電話機１０は、筐体５の内部に設けられた光源４と、筐体５の内部に設けられ、光源４からの光を、画像の表示面である筐体５の表面側に反射する反射面２ａを有する複数の凹部２が形成された導光板１とを備える。ここで筐体５のうち、導光板１が設けられた部分が半透明であってもよい。さらに導光板１の下部に、不透明のシートが設けられていることが好ましい。【選択図】図１
2008299116.tif 000002
【特許請求の範囲】
【請求項１】
筐体内部に設けられた光源と、
前記筐体内部に設けられ、前記光源からの光を、画像の表示面である筐体の表面側に反射する反射面を有する複数の凹部が形成された導光板
とを備えることを特徴とする機器。
【請求項２】
前記筐体のうち、前記画像の表示される部分が半透明であることを特徴とする請求項１に記載の機器。
【請求項３】
前記導光板の下部に、黒色のシートが設けられていることを特徴とする請求項２に記載の機器。
【請求項４】
複数の前記光源を備え、
前記導光板は、前記複数の光源のいずれかの光源からの光を、前記筐体側に反射する反射面を有する複数の凹部が形成されていることを特徴とする請求項１又は２に記載の機器。
【請求項５】
前記複数の光源のそれぞれに対応して、複数の導光板を備えることを特徴とする請求項４に記載の機器。
【請求項６】
前記複数の導光板の下部に、黒色のシートが設けられていることを特徴とする請求項５に記載の機器。
【請求項７】
前記表示面に文字、記号、図形、模様のうちのいずれか１つ以上の組み合わせが表示されるように、前記凹部が配置されることを特徴とする請求項１乃至６のいずれか１項に記載の機器。
【請求項８】
前記凹部は、前記導光板に形成されたドット状の切欠きからなることを特徴とする請求項１乃至７のいずれか１項に記載の機器。
【請求項９】
前記凹部の前記反射面は、前記光源が形成された面に対する角度が、４５度以上６０度以下であることを特徴とする請求項１乃至８のいずれか１項に記載の機器。
【請求項１０】
前記凹部は、平面視略矩形状とされ、その縦横比は１０：１から１：１までの範囲であることを特徴とする請求項１乃至９のいずれか１項に記載の機器。
【請求項１１】
前記光源は、前記導光板の延在方向に沿って延在して形成されていることを特徴とする請求項１乃至１０のいずれか１項に記載の機器。
【請求項１２】
前記光源は、複数の発光ダイオードが所定方向に配列されたものであることを特徴とする請求項１１に記載の機器。
【請求項１３】
前記導光板の面のうち、前記光が入射する面に対向する面に、前記光の反射を抑制する処理が施されていることを特徴とする請求項１乃至１２のいずれか１項に記載の機器。
【発明の詳細な説明】
【技術分野】
【０００１】
本発明は、携帯電話機などの機器に関する。
【背景技術】
【０００２】
近年、ＬＥＤ（発光ダイオード）は、高効率、長寿命の光源として、様々な用途に使われる機会が多くなっている。
【０００３】
例えば、近年流通している機器には、ＬＥＤが設けられている場合が多い。機器に設けられたＬＥＤは、各機器の機能に応じて点灯し、ユーザに機器の状態を認知させるために使用されている。具体的に機器として、携帯電話機、ＰＤＡ、ゲーム機などの様々な情報機器、テレビ、オーディオ、冷蔵庫、自動販売機等の電気機器等が挙げられる。
【０００４】
これらの機器においては、筐体の内側に自発光式の表示装置を配置して、点灯時に半透明の筐体を通して文字や模様等を浮かび上がらせる表示手法が採用される場合もある。この表示装置としては、液晶表示装置や有機ＥＬ、ＬＥＤディスプレイ等が挙げられる。ごく簡単な模様であれば、ＬＥＤを特定の位置に配置する場合もある。
【０００５】
また、透明性があり意匠性に優れた表示装置として、レーザ加工やエッチングによって導光板の表面を粗面化し、図形やロゴ等をなす表示部を形成したものがある。この様な表示装置では、導光板にレーザ加工やエッチングでロゴや模様等の比較的複雑な意匠を加工し、導光板の端面からＬＥＤ等の光源を入射してこれらの意匠を発光表示することができる。この表示装置は、液晶表示装置や有機ＥＬ等と比較して低コストで特定の意匠を発光させることができる。
【０００６】
この表示装置は、導光板の端面に設けた光源から光を照射して表示部を浮かび上がらせるものであり、ディスプレイ等に用いられている。
【０００７】
また、２枚の透明ガラス板の間に、ＬＥＤ素子を所定の配置で設けた表示部を有する表示装置も用いられている（例えば、特許文献１参照）。
【特許文献１】欧州特許第０９９５１９９号明細書
【発明の開示】
【発明が解決しようとする課題】
【０００８】
前記粗面化された表示部を有する表示装置では、光は表示部で散乱してしまうため、表示部の単位面積あたりの輝度は低くなり、視認性が不十分になってしまう。視認性をよくするためには表示部の面積を広くする必要がある。
【０００９】
しかしながら、不透明部分である表示部の面積が大きいと、背景を透かし見ることができなくなり、この表示装置の特徴である透明性が損なわれ、その価値を減殺することになってしまう。
【００１０】
ＬＥＤ素子を透明ガラス板の間に設けた表示装置では、透過光を遮るのはＬＥＤ素子のみであるため透明性は良好であるが、電極配線パターンが複雑となるため製造が難しく、非常に高価である。
【００１１】
また、光源と導光板とが別体である表示装置と異なり、表示部の意匠を変えるには光源（ＬＥＤ素子）を含め全体を交換する必要がある。
【００１２】
又、このような前記粗面化された表示部を有する表示装置を筐体内部に設置する場合、
（１）光源強度をアップせざるを得なくなり、コストアップになってしまう
（２）筐体の透明度を上げざるを得なくなり、導光板他の内部構造が透けて見えやすくなってしまう
（３）散乱した光が迷光となり、導光板他の内部構造を明るく浮かび上がらせて見えてしまう
等の各問題点があった。
【００１３】
また、上述した機器において、特定のロゴや模様等の意匠を表示させるだけで良い場合、液晶表示装置や有機ＥＬ、ＬＥＤディスプレイ等を用いるとコストがかかってしまうという問題があった。
【００１４】
本発明は、上記事情に鑑みてなされたものであって、筐体に設けられた表示部が視認しやすく、しかも低コストで容易に製造でき、さらに複雑な意匠を表現できる機器を提供することを目的とする。
【課題を解決するための手段】
【００１５】
上記目的を達成するため、本発明の特徴に係る機器は、筐体内部に設けられた光源と、筐体内部に設けられ、光源からの光を、画像の表示面である筐体の表面側に反射する反射面を有する複数の凹部が形成された導光板とを備える
ここで、筐体のうち、画像の表示される部分が半透明であることが好ましい。この場合、導光板の下部に、黒色のシートが設けられていることが好ましい。
【００１６】
更に、複数の光源を備えても良い。この場合、導光板は、複数の光源のいずれかの光源からの光を、筐体側に反射する反射面を有する複数の凹部が形成されていることが好ましい。更に、複数の光源のそれぞれに対応して、複数の導光板を備えることが好ましい。複数の導光板の下部に、黒色のシートが設けられていることが好ましい。
【００１７】
ここで、表示面に文字、記号、図形、模様のうちのいずれか１つ以上の組み合わせが表示されることが好ましい。又、凹部は、導光板に形成されたドット状の切欠きからなることが好ましい。更に、凹部の反射面は、光源が形成された面に対する角度が、４５度以上６０度以下であることが好ましい。凹部は、平面視略矩形状とされ、その縦横比は１０：１から１：１までの範囲であることが好ましい。
【００１８】
光源は、導光板の延在方向に沿って延在して形成されていることが好ましい。光源は、複数の発光ダイオードが所定方向に配列されたものであることが好ましい。
【００１９】
ここで、導光板の面のうち、光が入射する面に対向する面に、光の反射を抑制する処理が施されていることが好ましい。
【発明の効果】
【００２０】
本発明の機器は、筐体に設けられた表示部が視認しやすく、しかも低コストで容易に製造でき、さらに複雑な意匠を表現できる。
【発明を実施するための最良の形態】
【００２１】
以下、本発明の表示装置を実施するための最良の形態について、図面を参照して説明する。本発明の最良の実施の形態においては、機器の一例として携帯電話機について説明する。
【００２２】
図１は、本発明の最良の実施の形態に係る携帯電話機１０である。図２は、携帯電話機１０の上部の一部の断面を拡大した図である。
【００２３】
図１に示す様に、携帯電話機１０は、折りたたみ式の携帯電話機であって、本発明の最良の実施の形態においては、携帯電話機１０の上部１０ａの内部に導光板１が設けられている。
【００２４】
図１及び図２に示すように本発明の最良の形態に係る携帯電話機１０は、筐体５と、平行平面を有する透明な導光板１と、導光板１の端面１ａに設けられ、導光板１に向けて光を出射する光源４と、シート６を備える。図１及び図２に示す携帯電話機１０の筐体５の表面は、不透明部分５ａと半透明部分５ｂを備えている。半透明部分５ｂの内部に、半透明部分５ｂと平行に導光板１が設けられており、導光板１から反射された光が半透明部分５ｂに表示される。
【００２５】
半透明部分５ｂは、後述する導光板１からの光を透過させる。半透明部分５ｂは、着色されていてもよいし、着色されていなくてもよい。本実施形態においては、黒色に着色されている場合について説明する。
【００２６】
まず光源４について説明する。光源４は、筐体５の内部に設けられ、ドット状反射部（凹部）２による反射を介して導光板１に画像を表示させる光を発する。光源４としては、ＬＥＤ、ＬＤ（レーザダイオード）などを用いることができる。光源４は、導光板１の延在方向に沿って延在して形成されている。図１に示す様に光源４は、携帯電話１０の美観を低下を防ぐために、筐体５の不透明部分５ａの下に設けられるのが好ましい。
【００２７】
光源４は、例えば、複数のＬＥＤが端面１ａに沿う方向に配列されたものが使用できる。また、光源４が発する光の色は、白、赤、緑、青などの任意の色を例示でき、ドット状反射部２が構成するパターンに応じて適宜選択できる。
【００２８】
次に、導光板１について説明する。導光板１は、筐体５の内部に設けられ、複数のドット反射部（凹部）２が形成されている。ドット反射部２は、光源４からの光を、画像の表示面である筐体５の表面側に反射する反射面を有する。導光板１は、透明な材料であればよく、アクリル樹脂、ポリカーボネート樹脂、シリコーン樹脂、シクロポリオレフィン樹脂等などの合成樹脂からなる板や、ガラス板などが用いられ、その中でも透明性、加工の容易さなどの点からアクリル板が好ましい。
【００２９】
導光板１の厚さは、例えば０．５ｍｍ〜１０ｍｍとすることができる。
【００３０】
この導光板１の面のうち、光が入射する面１ａに対向する面１ｄに、光の反射を抑制する処理が施されていることが好ましい。光の反射を抑制する処理とは具体的には、導光板１の面１ｄに、黒色の塗装をする、反射防止のシートを貼るなどである。この処理により、面１ｄで反射された光が迷光となることを防ぐため、光源４の点灯時に携帯電話機１０を外から見たときに、導光板１から発せられる反射光の視認性を高めることができる。
【００３１】
図２及び図３に示す様に、導光板１の裏面１ｃには、複数のドット状反射部２が形成されている。ドット状反射部２は、図３に示すように、裏面１ｃに形成された切欠きである。
【００３２】
図示例において、導光板１の裏面１ｃには、複数のドット状反射部２が所定のパターンをなすように配列されている。裏面１ｃには、文字、記号、図形、模様のうちのいずれか１つ以上の組み合わせが設けられている。光源４からの入射光を各ドット状反射部２が反射して表示面である筐体５の表面に反射することにより、携帯電話１０の外側から見ると、筐体５の半透明部分５ｂに、ドット状反射部２がドット状の輝点として表示され、文字、記号、図形、模様のうちのいずれか１つ以上の組み合わせが表示される。
【００３３】
「ドット状反射部２が所定のパターンをなす」とは、ドット状反射部２が密に配置された部分と、疎に配置された部分とを有すること、すなわち、ドット状反射部２が不均一に配置されていることをいう。
【００３４】
携帯電話機１０では、導光板１の表面１ｂ側には、表示装置１０の透明性を損なうような構成（例えば光拡散板）は設けられておらず、ドット状反射部２がドット状の輝点として視認可能となっている。
【００３５】
一方、導光板１の裏面１ｃ側には、黒色のシート６が設けられている。シート６は、携帯電話機１０を外から見たときに、シート６の下部に設けられた携帯電話機１０の各機構を隠蔽する役割を持つ。又、シート６を黒色にすることによって、迷光によってシート自体が明るく浮かび上がってしまうことを防ぐ。これにより、光源４の点灯時に携帯電話機１０を外から見たときに、導光板１から発せられる反射光の視認性を高めることができる。
【００３６】
また、筐体５の半透明部分５ｂの色にかかわらず、シート６として黒色のシートを配置してもよい。黒色のシートの場合、半透明部分５ｂの色に関係なく、導光板から発せられる反射光の視認性を高めさせることができる。
【００３７】
図１及び図２に示す様に、本実施形態に係る携帯電話機１０では、携帯電話機１０の筐体５に、文字、記号、図形、模様等の意匠を表示させることができる。
【００３８】
従来、携帯電話機に意匠を表示させる場合、一つの輝点に対して一つの光源（ＬＥＤ）が必要であったが、本実施形態による携帯電話機１０では、一つの光源で複数の輝点に入射することができるので、低コストで複雑な意匠を表現することができる。
【００３９】
また、光源４として、複数のＬＥＤが端面１ａに沿う方向に配列させて用いる場合、各ＬＥＤの色を変え、点灯するＬＥＤを切り替えることにより、半透明部５ｂに様々な色の意匠を表示させることができる。
【００４０】
ここで、本実施形態においては、携帯電話機１０を例に説明したが、ＰＤＡ、ゲーム機、ノート型コンピュータなどの情報機器、テレビ、オーディオ、冷蔵庫、自動販売機等の電気機器等の様々な機器に転用することができるのは勿論である。
【００４１】
次に、ドット状反射部２を説明する。図１及び図２で示す例では、本発明の最良の実施の形態に係る携帯電話機１０は、導光板１において、光源４からの光を、画像の筐体５の表面側に反射する反射面を有する複数のドット状反射部２を有する。本実施の形態では、ドット状反射部２は、平面視形状が略矩形とされ（図４を参照）、反射面２ａを斜辺とする三角形となる断面を有する（図３を参照）。
【００４２】
ドット状反射部２は、導光板１内に形成されて光源４からの光を筐体５の表面側に反射する構造であればよく、その構成は図示例に限定されない。例えば、四角形以上の多角形（例えば台形）、扇形などの断面形状を持つ切欠きであってもよい。また、導光板１に形成された貫通孔であってもよいし、導光板１内に形成された空間部であってもよい。
【００４３】
平面視したときのドット状反射部２の縦横比（アスペクト比）（平均値）は、１０：１から１：１の範囲であることが好ましく、５：１から１：１の範囲であることがさらに好ましい。
【００４４】
図４に示すように、縦横比とは、β１：β２をいう。β１とは、図３及び図４に示すドット状反射部２の斜辺２ｂの平面視長さ（光の入射方向の長さ）であり、β２とは、光の入射方向と直交する上辺２ｃ及び下辺２ｄの長さである。
【００４５】
長さβ２に対する長さβ１が大きすぎると、ドット状反射部２からの光の形状が線状に近くなるため、表示装置１０の特徴である透明性が損なわれるので好ましくない。長さβ２に対する長さβ１が小さすぎると、ドット状反射部２の輝度が低くなりすぎる。なお、β２：β１を縦横比と考えることもできる。
【００４６】
縦横比とは、平面視でドット状反射部２が内接する最小面積の長方形の長辺と短辺の比（長辺：短辺）をいう。
【００４７】
なお、ドット状反射部２の平面視形状は、図示例に限らず、三角形、五角形などの多角形、円形、楕円形などであってもよい。
【００４８】
導光板１の裏面１ｃに対する反射面２ａの傾斜角度（図３に示す角度α）は、小さすぎれば出射光の傾斜角度も大きくなり、表示装置１０を正面から見たときのドット状反射部２の視認性が低下する。傾斜角度αが大きすぎれば、光の入射角度が臨界角を超え、反射面２ａを透過する光の割合が増加するため、光の反射効率が低下し、光の利用効率が低くなる。
【００４９】
このため、反射面２ａの傾斜角度αは、４５度以上６０度以下が好ましく、５０度以上５５度以下がさらに好ましい。傾斜角度αを上記範囲とすることによって、光の反射効率を高くするとともに、反射光を表面１ｂに対し垂直に近い角度で出射させ、ドット状反射部２の視認性を高めることができる。
【００５０】
なお、図示例では、反射面２ａは平坦であるが、反射面は、少なくとも一部が曲面をなしていてもよい。反射面が曲面であると、反射光の出射角度が広い範囲にわたる場合があるが、この場合には、ドット状反射部２が広い範囲から視認できるようになる。
【００５１】
反射面２ａの表面粗さ（最大高さＲｙ）（JIS B 0601-1994）は、反射面２ａにおける光の反射効率を高めるために平滑な平面が望ましい。
【００５２】
ドット状反射部２は、反射面２ａの平面視面積（β１×β２）に応じて、当該ドット状反射部２による反射光の輝度が設定される。反射面２ａの平面視面積は、ドット状反射部２の高さγ、上辺２ｃ（下辺２ｄ）の長さβ２等を変えることにより調整され、これによりドット状反射部２の反射光の輝度が調整される。
【００５３】
図３に示すように、携帯電話機１０では、光源４からの光を端面１ａから導光板１に入射させ、ドット状反射部２の反射面２ａに反射させ、表面１ｂ側から出射させることができる。表面１ｂ側から見ると、ドット状反射部２はドット状の輝点として観察される。
【００５４】
光源４からの光は、反射面２ａにおいて高い反射率で反射し、ほぼ一定の方向（図示例では表面１ｂに垂直な方向）に向かうため、反射光の単位面積あたりの輝度は十分に大きくなる。このため、距離をおいて観察する場合でも優れた視認性が得られる。
【００５５】
このように、複雑なデザインを容易に実現することができるので、本実施の形態の携帯電話機１０に導入することにより、低コストで複雑な意匠を表現し、変化を持たせることが可能である。
【００５６】
また、光源の光強度をアップさせなくても、各ドット状反射部の反射効率が良いために、充分な明るさで意匠を表示させることができる。
【００５７】
導光板１の下部に黒色シートを設け、さらに導光板１に光が入射する面に対向する面に光の反射を抑制する処理を施すことにより迷光を抑制し、意匠の視認性が低下するのを防ぐことができる。
【００５８】
また、構造が単純であるため、製造が容易でコスト面でも有利である。さらに、導光板１と光源４とが別体であるため、導光板１を、異なるパターンを有する導光板に交換するのが容易であるという利点がある。
【００５９】
次に、携帯電話機１０の導光板１を製造する方法の一例について、図５乃至図７を参照して説明する。
【００６０】
ドット状反射部２の形成においては、図５に示すように、基部１１の下面に刃部１２が突出形成された加工具１３を使用する。刃部１２は、ドット状反射部２に応じた形状とされ、刃部１２の頂角（図５に示す頂角δ）は、１０〜４０度が好ましい。
【００６１】
反射面２ａを平滑に形成するには、反射面２ａを形成する面である刃部１２の斜面１２ａも平滑に形成するのが好ましい。
【００６２】
図６及び図７に示すように、加工具１３を、刃部１２の形成方向に沿って下降させて刃部１２を導光板１の裏面１ｃに押し込み、加工具１３を上昇させて刃部１２を引き抜く。
【００６３】
この際、刃部１２と導光板１のうち一方または両方を導光板１の材料の軟化点以上の温度に加熱しておくと、ドット状反射部２の形成が容易となる。
【００６４】
これによって、導光板１の裏面１ｃに、刃部１２に沿う形状のドット状反射部２が形成される。さらに、加工具１３を水平移動させて、同様の操作を繰り返して他のドット状反射部２を形成することにより、図１及び図２に示す導光板１を得る。
【００６５】
加工具１３を使用する製造方法によれば、正確な形状のドット状反射部２を形成できる。また、反射面２ａを平滑に形成することができる。
【００６６】
他の製造方法として、切削加工、プレス成型、射出成型等が挙げられる。これらのなかでは、切削加工、プレス成型、射出成型は、反射面２ａを比較的平滑に形成できるという利点がある。また、プレス成型、射出成型は、小さなドット状反射部２でも精度よく形成することができる。また、切削加工は、金型が不要であるため、製造コストが低減でき、特に大きな面積の導光板に対する加工や、少量生産の場合に有利である。
【００６７】
（変形例）
図８乃至図１０を参照して、本発明の最良の実施の形態の変形例に係る携帯電話機１０を説明する。
【００６８】
本発明の変形例に係る携帯電話機１０は、図１及び図２を参照して説明した本発明の最良の実施の形態に比べて、導光板及び光源を複数備えている点が異なる。
【００６９】
図１に示す様に、光源４ａ及び光源４ｂは、最良の実施の形態と同様に、携帯電話１０の美観を低下を防ぐために、筐体５の不透明部分５ａの下に設けられるのが好ましい。
【００７０】
光源４ａは、導光板１に光を入射する。導光板１に設けられたドット状反射部２の反射面２ａによって入射光を反射することにより、筐体５の半透明部分５ｂに、導光板１に設けられたドット状反射部２のパターンに対応した意匠を表示させることができる。一方、光源４ｂは、導光板７に光を入射する。導光板７に設けられたドット状反射部２の反射面２ａによって入射光を反射することにより、筐体５の半透明部分５ｂに、導光板７に設けられたドット状反射部２のパターンに対応した意匠を表示させることができる。
【００７１】
図１０に示す様に、導光板１にはドット状反射部２が「○」の形状で設けられる一方、導光板７にはドット状反射部２が「△」の形状で設けられている。このようにそれぞれの導光板において、ドット状反射部２でパターンを形成することにより、図８に示す様に、携帯電話機１０の半透明部分５ｂに、複数の意匠を重ねて表示させることができる。光源の色を異なるものとしたり、各々の光源の点等状態を変えることにより、筐体５の不透明部分により複雑な表示を行なわせることがが可能となる。
【００７２】
ここで、導光板１及び導光板７の下には、最良の実施の形態と同様にシート６が設けられている。
【００７３】
導光板１及び導光板７の厚さは、例えば０．５ｍｍ〜１０ｍｍとすることができるが、なるべく薄い導光板を使用することにより、携帯電話機１０の大きさに影響を与えることなく、複数の導光板を重ねてより複雑な意匠を表示させることができる。
【００７４】
図８乃至図１０に示す例では、導光板を２枚用いる場合について説明したが、２枚とは限らず、３枚以上でもよい。
【００７５】
（その他の実施の形態）
上記のように、本発明の最良の実施の形態及び変形例によって記載したが、この開示の一部をなす論述及び図面はこの発明を限定するものであると理解すべきではない。この開示から当業者には様々な代替実施の形態、実施例及び運用技術が明らかとなる。
【００７６】
本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００７７】
【図１】図１は、本発明の最良の実施の形態に係る携帯電話機を模式的に示す平面図である。
【図２】図２は、図１に示す携帯電話機の一部の断面図である。
【図３】図３は、図１に示す携帯電話機の導光板の要部を拡大した断面図である。
【図４】図４は、図１に示す携帯電話機のドット状反射部の平面図である。
【図５】図５は、図１に示す携帯電話機の製造方法を示す工程図である。
【図６】図６は、図５に続く工程図である。
【図７】図７は、図６に続く工程図である。
【図８】図８は、本発明の最良の実施の形態の変形例に係る携帯電話機の平面図である。
【図９】図９は、図８に示す携帯電話機の一部の断面図である。
【図１０】図１０は、本発明の最良の実施の形態の変形例に係る携帯電話機の導光板を模式的に示す斜視図である。
【符号の説明】
【００７８】
１、７  導光板
２  ドット状反射部
２ａ  反射面
３  表示部
４、４ａ、４ｂ  光源
１０  携帯電話機
１１  基部
１２  刃部
１３  加工具
【図１】
2008299116.tif 000003
【図２】
2008299116.tif 000004
【図３】
2008299116.tif 000005
【図４】
2008299116.tif 000006
【図５】
2008299116.tif 000007
【図６】
2008299116.tif 000008
【図７】
2008299116.tif 000009
【図８】
2008299116.tif 000010
【図９】
2008299116.tif 000011
【図１０】
2008299116.tif 000012